(57)【特許請求の範囲】
【請求項１】
複数の感知器回線と、
上記複数の感知器回線に接続されて、各感知器回線の火災を検出する火災受信機と、
上記各感知器回線を介して、上記火災受信機と接続されて、スイッチング動作による火災信号を出力する複数の火災感知器と、
を具備する火災報知設備において、
上記火災感知器は、上記火災受信機と伝送通信を行う通信手段と、
当該火災感知器の個別情報を記憶する記憶部と、を有し、
上記火災受信機は、上記複数の感知器回線に接続されて、上記火災感知器と伝送通信を行う複数の送受信手段と、
上記複数の送受信手段を介して、上記各火災感知器に対して情報収集信号を送信し、また、上記情報収集信号に対応して、上記各火災感知器から送信される個別情報を受信して、上記各火災感知器の個別情報を収集する情報収集手段と、を備え、
前記個別情報は、製造情報とは異なるものであり、上記情報収集手段は、上記各送受信手段に対して、同時に情報確認命令を送信し、上記情報確認命令を受信した各送受信手段は、接続された上記感知器回線一つずつ順番に上記情報収集信号を送信することを特徴とする火災報知設備。
【請求項２】
上記個別情報は、上記感知器回線内で重複することのない個別のアドレス情報であることを特徴とする請求項１記載の火災報知設備。
【発明の詳細な説明】
【技術分野】
【０００１】
本発明は、火災受信機と火災感知器の間で伝送通信する火災報知設備に関するものである。
【背景技術】
【０００２】
従来、Ｐ型火災受信機に接続され、アドレスが付与された火災感知器を有する火災報知設備を防護領域へ設置する際に、火災受信機と火災感知器の間で伝送通信することによって接続された火災感知器のアドレス情報を収集、又は設定する火災報知設備が知られている（特許文献１参照）。
また、近年、製品を製造するときに、製品に実装された部品の製造に関わる情報であるロット番号や、製造年月日等の製造情報を製品にラベルを張り付けて記録しておくか、製品に実装された部品の製造情報と製品自体のロット番号や製造年月日等の情報を結びつける外部データベースにより、製品に実装された部品の製造不良が判明した際に、どの製品に製造不良が発生した部品が実装されているかを追跡するトレーサビリティという技術がある。
【先行技術文献】
【特許文献】
【０００３】
【特許文献１】特開２００３−２２３６８６号
【発明の概要】
【発明が解決しようとする課題】
【０００４】
上記の火災報知設備に用いられる伝送通信には、接続された火災感知器のオンオフ動作の繰り返しによってパルス信号を生成し、このパルス信号を用いて各種情報を伝送通信するため、特にＰ型火災受信機において、各回線の順番通りに収集すると、非常に時間が掛かるという問題があった。
【課題を解決するための手段】
【０００５】
この発明は、複数の感知器回線と、複数の感知器回線に接続されて、各感知器回線の火災を検出する火災受信機と、各感知器回線を介して、火災受信機と接続されて、スイッチング動作による火災信号を出力する複数の火災感知器と、を具備する火災報知設備において、火災感知器は、火災受信機と伝送通信を行う通信手段と、当該火災感知器の個別情報を記憶する記憶部と、を有し、火災受信機は、複数の感知器回線に接続されて、火災感知器と伝送通信を行う複数の送受信手段と、複数の送受信手段を介して、各火災感知器に対して情報収集信号を送信し、また、情報収集信号に対応して、各火災感知器から送信される個別情報を受信して、各火災感知器の個別情報を収集する情報収集手段と、を備え、前記個別情報は、製造情報とは異なるものであり、情報収集手段は、各送受信手段に対して、同時に情報確認命令を送信し、情報確認命令を受信した各送受信手段は、接続された感知器回線一つずつ順番に情報収集信号を送信することを特徴とする。
【０００６】
また本発明の個別情報は、感知器回線内で重複することのない個別のアドレス情報であることを特徴とする。
【発明の効果】
【０００７】
本願発明は、複数の感知器回線と、複数の感知器回線に接続されて、各感知器回線の火災を検出する火災受信機と、各感知器回線を介して、火災受信機と接続されて、スイッチング動作による火災信号を出力する複数の火災感知器と、を具備する火災報知設備において、火災感知器は、火災受信機と伝送通信を行う通信手段と、各火災感知器の個別情報を記憶する記憶部と、を有し、火災受信機は、複数の感知器回線に接続された火災感知器と伝送通信を行う複数の送受信手段と、複数の送受信手段を介して、各火災感知器に対して情報収集信号を送信し、また、情報収集信号に対応して、各火災感知器から送信される個別情報を受信して、各火災感知器の個別情報を収集する情報収集手段と、を備え、情報収集手段は、各送受信手段に対して、同時に情報確認命令を送信し、情報確認命令を受信した各送受信手段は、接続された感知器回線一つずつ順番に情報収集信号を送信するので、接続される感知器回線が増えても、感知器の個別情報を収集する時間を短くすることができるので、効率よく各種情報を収集することができる。
【図面の簡単な説明】
【０００８】
【図１】本発明の実施形態を示した火災報知設備の構成図。
【図２】本発明の実施形態を示した火災感知器の構成図。
【発明を実施するための最良の形態】
【０００９】
以下、本発明の火災報知設備１００を、図１、２を用いて説明する。
［火災報知設備］
１００は複数の感知器回線Ｌ１と、Ｐ型火災受信機１と、火災感知器２を具備する火災報知設備１００である。
Ｐ型火災受信機１は、複数の感知器回線Ｌ１が接続されて、各回線単位の火災検出及び所定周期での断線検出をする。このＰ型火災受信機１には、一対の信号線からなる複数の感知器回線Ｌ１を介して、スイッチング動作による火災信号を出力する複数の火災感知器２が接続されている。また、Ｐ型火災受信機１は、感知器回線Ｌ１毎に伝送通信を行う送受信手段としての送受信回路３が複数備えられている。各感知器回線Ｌ１は、各送受信回路３の受信機通信部８に個別に接続され、建物内の各防護領域へ向けて敷設されている。なお、感知器回線Ｌ１と火災感知器２の接続数は、Ｐ型火災受信機１の内部に設けられた電源トランス及び内蔵電源の容量によってあらかじめ決められるが、例えば、感知器回線Ｌ１は一つの送受信回路３に対して２０回線が接続され、各感知器回線Ｌ１には、最大で６０個の火災感知器２が接続されるものとなっている。
【００１０】
［火災感知器］
火災感知器２は、火災を検出する検出部１０と、各種情報を記憶する感知器記憶部１２と、感知器回線Ｌ１が接続される感知器通信部１１と、感知器全体を制御する感知器制御部１３とを有している。
検出部１０は、例えば感知器周辺の温度を検出するサーミスタや、投光部と受光部を用いて煙による散乱光を検出する煙検出部からなる。
【００１１】
感知器通信部１１は、Ｐ型火災受信機１と伝送通信を行う通信手段の一例で、感知器回線Ｌ１を介してＰ型火災受信機１の送受信回路３（受信機通信部８）と接続される。さらに感知器通信部１１は、図示しない内部接点を有し、内部接点が感知器制御部１３によってオンオフ動作されることで感知器回線Ｌ１間の電圧を変化させ、火災受信機１と伝送通信するものである。
【００１２】
感知器記憶部１２は、火災感知器２の種別情報、工場出荷時に記憶された製造情報や、設置時にアドレス設定器によって設定されるアドレス情報等が記憶されている。ここでいう製造情報とは、主に火災感知器２の感度に関わる情報や、火災感知器２が製造された製造年月日や、製造ラインの情報に関連づけられたＩＤコードなどが記憶されている。
【００１３】
次に、火災感知器２のアドレス設定方法について詳しく説明する。各火災感知器２は、感知器回線Ｌ１毎に所定の番号までのアドレスが付与されるものであり、また、感知器回線Ｌ１毎の各火災感知器２は、感知器回線内で重複することのない所定の番号までのアドレスが個別に付与されている。なお、上記各感知器回線Ｌ１の末端に接続された火災感知器２には、同一のアドレスが付与されている。
【００１４】
図１には、各感知器回線Ｌ１に接続された感知器群を一つのグループとした第一グループＧ１〜第六グループＧ６が記載されている。
第一グループＧ１、及び第四グループＧ４は感知器回線Ｌ１に火災感知器２が最大数、例えば６０台が接続される例を示している。従って、各火災感知器２に設定されるアドレス情報は、Ｐ型火災受信機１に近い火災感知器２を１番とし、そこから末端の火災感知器２へ向けて通し番号が設定され、末端の火災感知器２には、最大アドレスである６０番が設定される。
【００１５】
第二グループＧ２、及び第五グループＧ５は、感知器回線Ｌ１に火災感知器２が二台だけ接続される例を示している。この場合、火災感知器２に設定されるアドレス情報は、Ｐ型火災受信機１に近い火災感知器２に最小のアドレス情報の１番が設定される。そして、２台目には感知器回線Ｌ１に接続可能な火災感知器２の台数の最大アドレスである６０番が設定される。
【００１６】
第三グループＧ３、及び第六グループＧ６は、感知器回線Ｌ１に火災感知器２が一台だけ接続される例を示している。この場合、火災感知器２に設定されるアドレス情報は、感知器回線Ｌ１に接続可能な火災感知器２の台数の最大アドレスである６０番が設定される。
なお、図１に記載された送受信回路３は、説明のため簡略して記載しているが、例えば、一つの判別部９に対して、受信機通信部８を複数設け、各受信機通信部８に感知器回線Ｌ１を個別に接続可能としている。
【００１７】
感知器制御部１３は、感知器全体を制御するもので、例えば感知器通信部１１の内部接点を制御し、状態応答信号や感知器記憶部１２に記憶された製造情報等の各種信号（情報）を感知器通信部１１から送受信回路３に送信する。より詳しく述べると、検出部１０が火災を検出すると、内部接点を所定時間オンさせる所謂スイッチング動作により、感知器回線Ｌ１間を略短絡して感知器回線Ｌ１間の電圧を低下させて火災信号を出力する。
【００１８】
また、感知器通信部１１が、送受信回路３の受信機通信部８から送信された後述する状態確認信号を受信すると、感知器記憶部１２に記憶された自己のアドレス情報に対応して、所定のタイミングで状態応答信号を送信する。より詳しく述べると受信機制御部４は、火災感知器２の接続数に拘わらず、各送受信回路３を介して、感知器回線Ｌ１毎に、最大アドレス（６０番）までの火災感知器２に対して状態確認信号を所定周期で送信する。このとき状態確認信号は、確認したい火災感知器２のアドレスが十五個ずつ関連づけられて、伝送パルス信号として伝送通信される。
【００１９】
この状態確認信号は、詳細には説明しないが、受信機フレームと、受信機フレームに続く感知器フレームとを有し、受信機フレームは、火災受信機１が火災感知器２に対して状態確認指令する信号を送信するためのフレームであり、また、感知器フレームは、１５個の火災感知器２が状態応答信号を送信するために、各火災感知器２のアドレスに関連付けられた１５個のスロットを有するフレームである。
【００２０】
状態確認信号は、最大アドレス６０個分だけ、４回に分けて伝送通信される。具体的には、アドレス１〜１５番までに対応する状態確認信号、アドレス１６〜３０番までに対応する状態確認信号、アドレス３１〜４５番までに対応する状態確認信号、アドレス４６〜６０番までに対応する状態確認信号がそれぞれ伝送通信される。
【００２１】
感知器通信部１１が、自己のアドレスに関連付けられた状態確認信号を受信すると、感知器制御部１３は、状態確認信号に対応して、自己のアドレスに関連づけられた所定の応答タイミング（所定のスロット）で伝送パルス信号としての状態応答信号を送受信回路３に伝送通信する。
【００２２】
また、感知器通信部１１が送受信回路３から送信された後述する製造情報収集信号を受信すると、感知器記憶部１２に記憶された自己の製造情報を示す伝送パルス信号を、感知器通信部１１から受信機通信部８に送信する。より詳しく述べると、受信機制御部４は、送受信回路３を介して、状態確認信号と同様の受信機フレームとを有する製造情報収集信号を用いて、受信機フレーム内に確認したい個別の火災感知器２のアドレスを関連づけて伝送パルス信号として感知器通信部１１へ伝送通信する。感知器通信部１１が自己のアドレスに関連付けられた製造情報収集信号を受信すると、製造情報信号を送信する。このとき感知器通信部１１は、状態確認信号と同様の十五個の所定のスロットに合わせて内部接点のオンオフ動作を繰り返すことで、製造情報等を製造情報信号とし、送受信回路３に伝送通信する。
【００２３】
製造情報信号は、例えばスロット１〜８の組み合わせで製造年月日を、スロット９〜１１の組み合わせで火災感知器２の種別を、スロット１２〜１５の組み合わせで製造番号を表現する。
【００２４】
また、感知器通信部１１が送受信回路から送信された後述するアドレス情報収集信号を受信すると、感知器記憶部１２に記憶された自己のアドレス情報を示す伝送パルス信号を、感知器通信部１１から受信機通信部８に送信する。より詳しく述べると、受信機制御部４は、送受信回路３を介して、状態情報確認信号と同様の受信機フレームとを有するアドレス情報収集信号を用いて、各感知器通信部１１へ個別に伝送通信する。感知器通信部１１が上記アドレス情報収集信号を受信すると、自己のアドレス情報信号を送信する。このとき感知器通信部１１は、状態確認信号と同様の十五個の所定のスロットに合わせて内部接点のオンオフ動作を繰り返すことで、個別のアドレス情報信号とし、送受信回路３に伝送通信する。
【００２５】
［火災受信機］
Ｐ型火災受信機１は、複数の感知器回線Ｌ１を介して各火災感知器２と接続される送受信回路３と、受信機全体の動作を制御する受信機制御部４と、火災警報や火災が発生した地区の状態情報等を表示する表示部５と、各種操作を行う操作部６と、送受信回路３に接続された感知器回線Ｌ１の接続情報を記憶する受信機記憶部７とからなる。
【００２６】
受信機制御部４は、各火災感知器の製造情報信号を収集する製造情報収集手段の一例で、火災受信機２全体の制御を行うものであり、送受信回路３から火災信号を受信すると、後述する表示部５等を点灯制御したり、図示しない防排煙装置等を起動したりするものである。また、受信機制御部４は、操作部６の操作又は所定の周期で、断線監視を確認する状態確認命令を送受信回路３に出力する。また受信機制御部４は、操作部６が操作されることで、各火災感知器２の製造情報を収集する製造情報収集命令を送受信回路３に送信する。
【００２７】
表示部５はＰ型火災受信機１の盤面に設けられたＬＥＤ等の光源からなり、各防護領域に敷設された感知器回線Ｌ１に対応して設けられる。そして表示部５は、感知器回線Ｌ１に接続された火災感知器２が火災を検出して内部接点を閉じる（スイッチング動作を行う）と、受信機制御部４によって対応するＬＥＤ等が点灯制御されるものである。
【００２８】
操作部６は、Ｐ型火災受信機１の盤面に設けられ、火災検出による火災警報の停止や、断線監視、製造情報の収集等の保守点検を行う各種操作スイッチからなる。操作部６は、各種スイッチを点検作業者が操作することで、受信機制御部４に各種信号を出力させる。
受信機記憶部７は、各受信機通信部８に対応して、感知器回線Ｌ１の接続の有無を示す接続情報や、製造情報収集信号によって収集された火災感知器２の製造情報が記憶されている。この受信機記憶部７は、図示しないデータベース設定ツールによって接続情報を書き換えたり、製造情報をＣＦカード等の外部記憶手段に移したりすることができる。また、火災受信機１の電源投入時に接続されている火災感知器２のアドレス情報を取得することで、感知器回線Ｌ１の接続情報を書き換え可能なものとなっている。
【００２９】
送受信回路３は、感知器回線Ｌ１を介して火災感知器２の感知器通信部１１と接続される受信機通信部８と、受信機通信部８が受信した火災感知器２からの各種信号を判別する判別部９を備えている。
送受信回路３は、各種状態を判別する判別部９一つに対し、図１では三個の受信機通信部８が設けられ、各受信機通信部１１には一対の感知器回線Ｌ１が接続され、また、各感知器回線Ｌ１には一乃至複数台の感知器群Ｇ１〜Ｇ６が設けられている。
受信機通信部８は、火災感知器２のスイッチング動作による火災信号を検出し、感知器通信部１１にパルス信号からなる各種信号を送受信するものである。
【００３０】
判別部９は、判別手段としての一例で、火災判別処理と信号判別処理により受信機通信部８が受信した各種信号を判別したり、受信機通信部８から感知器通信部１１へ各種信号を送信させたりするものである。
【００３１】
より詳しく述べると、火災判別処理とは、受信機通信部８が監視する感知器回線Ｌ１間の電圧変化によって火災を判別する動作のことであり、火災感知器２のスイッチング動作により感知器回線Ｌ１間の電圧が所定時間低下すると、判別部９が火災判別処理を行うことで火災と判断し、受信機制御部４に火災信号を出力する。
【００３２】
また、信号判別処理は、一例として、感知器回線Ｌ１に接続された火災感知器２との伝送パルス信号の送受信によって感知器回線Ｌ１の断線を判別する動作がある。より詳しく述べると、受信機制御部４から所定周期で出力される状態確認命令、または点検作業者が操作部６を操作することによって受信機制御部４から出力される状態確認命令のいずれか一方を判別部９が受けると、判別部９は、受信機通信部８から各感知器回線Ｌ１に対して状態確認信号を送信させる。このとき受信機通信部８は、各感知器回線Ｌ１に対して、火災感知器の接続数に拘わらず、状態を確認したい火災感知器２のアドレス情報が十五個単位で付与された状態確認信号を、伝送パルス信号として、最大アドレスの分だけ、四回に分けて送信する。そして、感知器通信部１１からアドレス情報が付与された状態応答信号を受信機通信部８が受信すると、判別部９は信号判別処理によって、最大アドレスが設定された火災感知器２からの状態応答信号の有無を判別する。具体的には、各火災感知器２は、自己のアドレスに関連づけられた所定の応答タイミング（所定のスロット）で状態応答信号を送信することから、判別部９は最大アドレスに関連づけられた所定の応答タイミング（所定のスロット）で状態応答信号を受信したか否かを判別する。この信号判別処理によって、各感知器回線Ｌ１の末端に接続され、最大アドレスが設定された火災感知器２からの状態応答信号が受信できない場合に、判別部９は当該感知器回線が断線であると判別し、受信機制御部４に関連付けられた断線情報を出力する。
【００３３】
また、信号判別処理は、一例として、感知器回線Ｌ１に接続された火災感知器２との伝送パルス信号の送受信によって、火災感知器２から受信した製造情報を判別する動作がある。より詳しく述べると、点検作業者が操作部６を操作することによって、受信機制御部４から出力される製造情報収集命令を判別部９が受けると、判別部９は受信機通信部８から各感知器回線Ｌ１に対して、アドレス情報と関連付けられた製造情報収集信号を送信させる。製造情報収集信号が送信された後、対応するアドレスの火災感知器２のオンオフ動作の繰り返しによって感知器回線Ｌ１間の電圧が変化すると、判別部９が信号判別処理を行うことで製造情報を判別し、受信機制御部４を介して受信機記憶部７にアドレス情報と関連づけられた製造情報を記憶する。
【００３４】
［設置手順］
続いて、本実施形態における火災報知設備１００の設置時に関する説明をする。
Ｐ型火災受信機１は、設置される物件の規模に応じて、あらかじめ対応する回線数を設定して出荷される。その後、施工者によって火災感知器２や図示しない被制御装置と共に設置される。このとき、火災感知器２の感知器記憶部１２には、工場出荷時に記憶された製造情報の他に、アドレス設定器によって個別のアドレス情報が設定される。このアドレス情報は、Ｐ型火災受信機１に近い方を基準とし、通常１から順に連番が設定され、火災受信機２の電源トランス又は内部電源の容量に応じて例えば最大６０台が接続される。ただし、感知器回線Ｌ１が敷設される防護領域の広さによっては、６０台接続する必要が無い場合もあるが、その場合においても接続される末端の火災感知器２には、最大アドレスである６０番目のアドレスが設定される。
【００３５】
防護領域に火災感知器２が設置された後、Ｐ型火災受信機１に電源を接続して起動すると、判別部９は各受信機通信部８からアドレス情報に関連付けられた状態確認信号を送信する。各感知器回線Ｌ１に接続された火災感知器２から、当該火災感知器２のアドレスに関連付けられた状態応答信号が送信されると、判別部９は信号判別処理によって最大アドレスの状態応答信号の受信の有無を判別する。信号判別処理によって最大アドレスの状態応答信号を受信したと判別されると、判別部９は感知器回線Ｌ１（火災感知器２）が正常に設置されたと判断し、制御部４に各グループＧ１〜Ｇ６が接続されている旨の接続情報を送信する。このとき、感知器回線Ｌ１のいずれかに最大アドレスが設定された火災感知器２が接続されていない場合、判別部９は、感知器回線Ｌ１が接続されていないと判断し、制御部４に接続されていない旨の接続情報を送信する。そして、判別部９から接続情報を受信した受信機制御部４は、各グループＧ１〜Ｇ６の接続情報を受信機記憶部７に記憶する。以降、接続情報有りの各グループＧ１〜Ｇ６に対してのみにしか情報収集を行わないので、断線監視処理や製造情報の取得処理が簡便となる。
その後火災報知設備１００は、火災監視状態へと移行する。
【００３６】
［火災検出］
続いて、本実施形態における火災報知設備１００の火災検出動作に関する説明をする。
火災報知設備１００が火災監視状態の際、防護領域で火災が発生すると、火災感知器２の検出部１０が火災を検出し、感知器制御部１３が感知器通信部１１をスイッチング動作させて感知器回線Ｌ１間を略短絡させる。受信機通信部９が、感知器回線Ｌ１間の電圧低下を検出すると、判別部９はその電圧値を検出して火災判別処理によって火災かどうかを判別する。所定時間、検出された電圧値が所定の電圧値より低い場合、判別部９は火災が発生したと判別し、受信機制御部４に火災信号を出力する。火災信号を受信した受信機制御部４は、対応する表示部５のＬＥＤを点滅表示すると共に、図示しない被制御装置等に起動信号を送信する。
【００３７】
［断線監視］
続いて、本実施形態における火災報知設備１００の断線監視に関する説明をする。
火災報知設備１００が設置されたのち、受信機制御部４は、各送受信回路３に所定周期で断線監視としての状態確認命令を送信し、状態確認命令を受信した各送受信回路３は、各判別部９によって各受信機通信部８から状態確認信号を伝送パルス信号として送信する。各感知器通信部１１が状態確認信号を受信すると、各火災感知器２の各感知器制御部１３は、自己の感知器記憶部１２に記憶されたアドレス情報に対応して、自己の状態応答信号を乗せた伝送パルス信号を各送受信回路３送信する。このとき、各感知器回線Ｌ１に断線が発生していなければ、各受信機通信部１１は最大アドレスの状態応答信号を受信し、各受信機通信部１１が最大アドレスの状態応答信号を受信すると、各判別部９は断線判別処理によって各感知器回線Ｌ１が正常であると判別し、引き続き火災監視状態となる。
【００３８】
これに対し、例えば第１グループＧ１の感知器回線Ｌ１で断線が起きた場合、断線が発生した感知器回線Ｌ１に接続された末端の火災感知器２から最大アドレスの状態応答信号が送られなくなる。第１グル―プＧ１が接続された受信機通信部１１が最大アドレスの状態応答信号を受信しないと、判別部９は断線判別処理によって第１グループＧ１で断線が発生したと判別し、受信機制御部４に感知器回線Ｌ１の番号に関連づけられた断線信号を送信する。判別部９から感知器回線Ｌ１の番号に関連づけられた断線信号を受信した受信機制御部４は、表示部５に断線が発生したことを表示するため、表示部５の感知器回線Ｌ１の番号に関連づけられたＬＥＤを点滅制御する。
【００３９】
［アドレス情報取得］
続いて、本実施形態の火災報知設備１００におけるアドレス情報の取得動作に関する説明をする。
防護領域に設置された火災感知器２に、新たに火災感知器２を設置する場合、既に設定された火災感知器２のアドレスとは異なるアドレスを新しく設置する火災感知器２に設定する必要がある。このとき、点検作業者が火災受信機１の操作部６を操作することで各火災感知器２のアドレス情報を取得し、各感知器回線Ｌ１の空きアドレスを確認する。
【００４０】
点検作業者が火災受信機１の操作部６を操作すると、受信機制御部４から各判別部９にアドレス情報収集命令を出力する。アドレス情報収集命令を受信した各判別部９は、各受信機通信部８から各火災感知器２へ向けてアドレス情報収集信号を送信する。
【００４１】
このとき本願発明の火災報知設備１００は、各送受信回路３に接続される複数の感知器回線Ｌ１について、各感知器回線Ｌ１単位でタイミングをずらして順番にアドレス情報を収集する。より詳しく述べると、ひとつの送受信回路３内に複数の感知器回線Ｌ１が接続されている場合、各感知器回線Ｌ１を一つのグループとする。そして、グループ単位でまとめて各火災感知器２のアドレス情報を収集するが、このとき、各グループのタイミングが重ならないように順番に送信する。具体的には、最初に第一グループＧ１の火災感知器２のうち、アドレス情報の小さい順にアドレス情報収集信号を感知器通信部８に送信する。このアドレス情報収集信号を受信した火災感知器１は、感知器通信部１１の内部接点のオンオフ動作を繰り返すことで、アドレス情報信号を受信機通信部８に送信する。判別部９が信号判別処理によって火災受信機１に最も近い火災感知器２からのアドレス情報信号が受信できたと判別すると、受信機制御部４は火災受信機１から二番目に近い位置にある火災感知器２に対して、アドレス情報収集信号を感知器通信部８に送信する。このような動作を繰り返すことによって、第一グループＧ１に接続された火災感知器２からアドレス情報を取得すると、受信機制御部４は第二グループＧ２も同様にアドレス情報を順番に取得する。各送受信回路３（受信機通信部８）に接続された感知器回線Ｌ１のすべてのグループに対して行うことによってすべての火災感知器２から確実かつ効率よくアドレス情報を収集できる。
【００４２】
各送受信回路３によって収集されたアドレス情報は、受信機記憶部７に記憶される。そして、点検作業者が操作部６を操作し、表示部５に表示したり、図示しないデータベースツールや外部記憶手段に移してアドレス情報を確認することにより、感知器回線Ｌ１の空きアドレスを確認する。
【００４３】
また、火災報知設備１００に送受信回路３が複数設けられる場合、各送受信回路３に設けられる各判別部９は、それぞれ独立して制御可能なものとなっている。そのため、受信機制御部４は、各判別部９に対して同時にアドレス情報収集命令を送信する。
【００４４】
そして、アドレス情報収集命令を受信した各判別部９は、各受信機通信部９に接続された個別の感知器回線Ｌ１を一つのグループとし、このグループ単位で順番にアドレス情報を収集する。このとき、異なる送受信回路３の初めのグループ、例えば第１グループＧ１と第４グループＧ４のアドレス情報を同時に取得できるので、より効率良くアドレス情報を収集できる。
【００４５】
［製造情報取得］
続いて、本実施形態の火災報知設備１００における製造情報の取得動作に関する説明をする。
防護領域に設置された火災感知器２に使用された部品に不具合が発見された場合、点検作業者が火災受信機１の操作部６を操作することで各感知器の製造情報を取得する。
【００４６】
点検作業者が火災受信機１の操作部６を操作すると、受信機制御部４から各判別部９に製造情報収集命令を出力する。製造情報収集命令を受信した各判別部９は、各受信機通信部８から各火災感知器２へ向けて製造情報収集信号を送信する。
【００４７】
このとき本願発明の火災報知設備１００は、各送受信回路３に接続される複数の感知器回線Ｌ１について、各感知器回線Ｌ１単位でタイミングをずらして順番に製造情報を収集する。より詳しく述べると、ひとつの送受信回路３内に複数の感知器回線Ｌ１が接続されている場合、各感知器回線Ｌ１を一つのグループとする。そして、グループ単位でまとめて各火災感知器２の製造情報を収集するが、このとき、各グループのタイミングが重ならないように順番に送信する。具体的には、最初に第一グループＧ１の火災感知器２のうち、火災受信機１に最も近い位置にある火災感知器２に対して、この火災感知器２のアドレス情報と関連付けられた製造情報収集信号を送信する。この製造情報収集信号を受信した火災感知器１に最も近い位置にある火災感知器は、感知器通信部１１の内部接点のオンオフ動作を繰り返すことで、製造情報信号を受信機通信部８に送信する。判別部９が信号判別処理によって火災受信機１に最も近い火災感知器２からの製造情報信号が受信できたと判別すると、受信機制御部４は火災受信機１から二番目に近い位置にある火災感知器２に対して、アドレス情報と関連付けられた製造情報信号を感知器通信部８に送信する。このような動作を繰り返すことによって、第一グループＧ１に接続された火災感知器２から製造情報を取得すると、受信機制御部４は第二グループＧ２も同様に製造情報を順番に取得する。各送受信回路３（受信機通信部８）に接続された感知器回線Ｌ１のすべてのグループに対して行うことによってすべての火災感知器２から確実かつ効率よく製造情報を収集できる。
【００４８】
各送受信回路３によって収集された製造情報は、受信機記憶部７に記憶される。そして、点検作業者が操作部６を操作し、表示部５に表示したり、図示しないデータベースツールや外部記憶手段に移して製造情報を確認することにより、感知器回線Ｌ１に接続された火災感知器２が、製造不良の発生した部品が実装されたものかどうかなどを確認する。
【００４９】
また、火災報知設備１００に送受信回路３が複数設けられる場合、各送受信回路３に設けられる各判別部９は、それぞれ独立して制御可能なものとなっている。そのため、受信機制御部４は、各判別部９に対して同時に製造情報収集命令を送信する。
【００５０】
そして、製造情報収集命令を受信した各判別部９は、各受信機通信部９に接続された個別の感知器回線Ｌ１を一つのグループとし、このグループ単位で順番に製造情報を収集する。このとき、異なる送受信回路３の初めのグループ、例えば第１グループＧ１と第４グループＧ４の製造情報を同時に取得できるので、より効率良く製造情報を収集できる。
【００５１】
なお、製造情報は部品に不具合が発見された場合など、必要に応じて収集されるため、常時収集する必要は無いが、収集する際は、製造情報の他に、火災感知器２に実装された部品の製造に関わる情報であるロット番号や、製造ライン等の各種情報が含まれているため、時間が掛かる場合がある。
【００５２】
このとき、火災受信機１の操作部６が操作されると、受信機制御部４によって所定周期で送信されていた断線監視を一時的に停止した後、製造情報収集信号を送信する様にしても良い。これにより、断線監視を行っていた時間も連続して製造情報収集信号の送受信が行える、言い換えると、断線監視を行っていた時間に製造情報信号の送受信が割り当てられるので、より早く製造情報を収集できる。
このように、本願発明の火災報知設備は、感知器回線Ｌ１に接続される火災感知器２の製造情報を、感知器回線Ｌ１単位でまとめて収集できるので、効率よく製造情報を収集できる。
【００５３】
言い換えると、情報収集手段は、火災感知器の状態情報を収集するときには、所定数の火災感知器が応答して、個別に状態情報を送信するための所定数のスロットを有する状態情報収集信号を送信し、火災感知器のアドレス情報又は製造情報を収集するときには、個別の火災感知器が応答して、所定数のスロットを用いて、アドレス情報又は製造情報を個別に送信するためのアドレス情報収集信号又は製造情報収集信号を送信するものである。
そのため、データ量の大きいアドレス情報又は製造情報を収集するためのアドレス情報収集信号又は製造情報収集信号と、データ量の少ない状態情報を収集するための状態情報収集信号と、を同一形式としたので、火災受信機は、簡便に各種情報を収集できる。
なお、本願発明の実施形態においては、製造情報収集手段としての受信機制御部１３と、信号判別処理を行う判別部９を分けて記載したが、受信機制御部１３が信号判別処理を行う機能を備えたものとしてもよい。
【００５４】
また、送受信回路３は２つ設けられているが、例えば３つ以上設けても良く、その個数は接続される各感知器回線Ｌ１の回線数に応じて増減してもよい。
また、受信機制御部４は、各感知器回線Ｌ１に接続されたすべての火災感知器２の製造情報を、火災受信機１から近い順に取得するようにしたが、たとえば個別のアドレスを指定して製造情報を取得してもよい。
【００５５】
また、製造情報収集信号は、状態確認信号と同様の感知器フレームを有するものとしたが、たとえば火災感知器２に用いられるマイコンのクロック周波数が高い物を用いることで、一つのスロットに各火災感知器２の製造情報信号を含め、状態応答信号と同様に十五個単位で火災感知器２の製造情報を取得できるようにしてもよい。
【００５６】
また、火災感知器２のアドレス設定方法として、例えばＰ型火災受信機１に近い火災感知器２を１番とし、そこから末端の火災感知器２へ向けて通し番号が設定され、末端の火災感知器２には、最大アドレスである６０番が設定されるものとしたが、Ｐ型火災受信機１からの順番と感知器のアドレスは必ずしも1対1である必要は無く、感知器回線Ｌ１の末端に設定された最大アドレスと異なるアドレスで、感知器回線Ｌ１内で重複しなければ良い。
【００５７】
また、本発明は、アドレス情報及び製造情報を収集する場合の動作について説明したが、例えば各種状態情報を収集する場合に用いてもよい。
【符号の説明】
【００５８】
１００  火災報知設備、１  Ｐ型火災受信機、２  火災感知器、３  送受信回路、４受信機制御部、５  表示部、６  操作部、７  受信機器億部、８  受信機通信部、９  判別部、１０  検出部、１１  感知器通信部、１２  感知器記憶部、１３  感知器制御部。
【図１】
0005902545.tif 000002
【図２】
0005902545.tif 000003